(57)【要約】    【課題】釣人が鮎の取り出しを片手で容易に行うことができる鮎釣用曳舟の提供。    【解決手段】この鮎釣用曳舟１０は、船形に形成された曳舟本体１１を備えている。曳舟本体１１は開閉部材１８を備えており、この開閉部材１８に開口２６が設けられている。この開口２６を開閉するための扉２７が設けられている。扉２７は、３枚の開閉板２８〜３０を備えている。各開閉板３０が回動されることにより、上記開口２６が開閉される。各開閉板２８〜３０は、常時は閉じ状態となるようにバネによって回動付勢されている。【選択図】図１
2005295936.tif 000002
【特許請求の範囲】
【請求項１】
内部に収容室が区画されると共に当該収容室と連通する開口が上面に設けられた曳舟本体と、上記開口を開閉する扉とを有し、
当該扉は、上記開口の略中心を中心として放射状に配置された３枚〜５枚の開閉板を備え、
各開閉板は、上記開口を閉じる姿勢と上記収容室側へ回動することによって上記開口を開放する姿勢との間で姿勢変化可能に設けられ、且つ常時上記開口を閉じる姿勢となるように弾性付勢されている鮎釣用曳舟。
【請求項２】
上記扉の中央部に凹部が設けられている請求項１に記載の鮎釣用曳舟。
【請求項３】
内部に収容室が区画されると共に当該収容室と連通する開口が上面に設けられた曳舟本体と、上記開口に取り付けられた蓋部材とを有し、
当該蓋部材は、弾性に富むゴム又は樹脂からなり、上記開口から上記収容室側へ突出する漏斗状に形成されている鮎釣用曳舟。
【請求項４】
上記蓋部材には、上記開口から上記収容室へ向かう方向に延びるスリットが複数設けられている請求項３に記載の鮎釣用曳舟。
【発明の詳細な説明】
【技術分野】
【０００１】
本発明は、鮎釣りの際にオトリとして使用される鮎を保管する曳舟の構造に関するものである。
【背景技術】
【０００２】
鮎釣りにおいては「友釣り」と称される釣法がある。友釣りでは、生きた鮎がオトリとして使用され、釣人は、この鮎に釣針を装着し、ターゲットとなる鮎の縄張りに侵入させることにより、ターゲットとなる鮎のアタックを誘うものである。したがって、友釣りでは、体力のある鮎がオトリとして選定されなければ、ターゲットとなる鮎のアタックを期待できない。そのため、釣人は、実釣において常にオトリとなる鮎を注意深く観察し、鮎の体力が衰えたと判断した場合には、直ちにオトリとなる鮎を交換する。
【０００３】
従来から、オトリとなる鮎は、「曳舟」と称される容器に予め保管されており、釣人は、実釣中にこの曳舟を常に携帯する（例えば、特許文献１〜特許文献１１、非特許文献１参照）。図５は、従来の一般的な曳舟の斜視図である。
【０００４】
同図が示すように、曳舟１は、船形に形成された本体２と、本体２に連結されたロープ３とを備えている。ロープ３にはフック４〜６が設けられており、釣人はフック４〜６を身体や釣り場の固定物に引っ掛けることにより、曳舟１を係留しておくことができる。曳舟１は、水面に浮かべて使用され、内部に鮎を収容する収容室を有する。この収容室には常時水が出入りするようになっており、収容室に収容された鮎には常に新鮮な水が供給されるようになっている。また、本体２が船形に形成されていることから、釣人は、曳舟１を水中に配置したまま釣り場を移動することができる。
【０００５】
【特許文献１】特開２００２−１０１７９９公報
【特許文献２】特開２００１−１９０２０２公報
【特許文献３】特開平１１−１９６７４５号公報
【特許文献４】特開平８−１５４５５２号公報
【特許文献５】特開平７−２３１７４２号公報
【特許文献６】特開平７−２２７１８９号公報
【特許文献７】特開平７−２０３８２０号公報
【特許文献８】特開平７−１７０８９５号公報
【特許文献９】特開平７−１６３２８２号公報
【特許文献１０】特開平７−１６３２８１号公報
【特許文献１１】特開平７−９５８４０号公報
【非特許文献１】株式会社シマノ 2004 Fishing Tackle Catalogue（第１９２頁）
【発明の開示】
【発明が解決しようとする課題】
【０００６】
曳舟１は、釣れた鮎を一時保管しておく容器としても使用される。したがって、一般に本体２は、釣人が釣れた鮎を挿入することができ、また鮎を取り出すことができる窓部７を備えている。釣人は、この窓部７を手で開けながら鮎を出し入れする。しかしながら、従来の曳舟１では、釣人が釣れた鮎を片手で掴んだまま収容室に収納する作業が容易でなく、また、釣人が手を挿入して収容室内の鮎を取り出す作業も容易ではなかった。
【０００７】
そこで、本発明の目的は、釣人が鮎の取り出しを片手で容易に行うことができる鮎釣用曳舟を提供することである。
【課題を解決するための手段】
【０００８】
(1) 上記目的が達成されるため、本発明に係る鮎釣用曳舟は、内部に収容室が区画されると共に当該収容室と連通する開口が上面に設けられた曳舟本体と、上記開口を開閉する扉とを有し、当該扉は、上記開口の略中心を中心として放射状に配置された３枚〜５枚の開閉板を備え、各開閉板は、上記開口を閉じる姿勢と上記収容室側へ回動することによって上記開口を開放する姿勢との間で姿勢変化可能に設けられ、且つ常時上記開口を閉じる姿勢となるように弾性付勢されていることを特徴とするものである。
【０００９】
この構成によれば、鮎が収容され得る収容室に連通する開口は、扉によって常時閉鎖されているので、鮎は、収容室内に確実に保管される。この扉は、開閉板から構成されるから、釣人は、扉を手で押さえるだけで開閉板が回動し、上記開口が開放される。しかも、扉は３枚〜５枚の開閉板からなるので、扉の開放作業はきわめて簡単且つスムーズに行われる。
【００１０】
上記扉の中央部に凹部が設けられているのが好ましい。これにより、釣人は、この凹部を手で押さえることによって、より簡単に上記扉を開放することができる。
【００１１】
(2) 上記目的が達成されるため、本発明に係る鮎釣用曳舟は、内部に収容室が区画されると共に当該収容室と連通する開口が上面に設けられた曳舟本体と、上記開口に取り付けられた蓋部材とを有し、当該蓋部材は、弾性に富むゴム又は樹脂からなり、上記開口から上記収容室側へ突出する漏斗状に形成されていることを特徴とするものである。
【００１２】
この構成によれば、鮎が収容され得る収容室に連通する開口は、蓋部材によって常時閉鎖されているので、鮎は、収容室内に確実に保管される。ただし、蓋部材が漏斗状に形成されていることから、釣人は、鮎を蓋部材の中央部に投入するだけで、当該鮎は当該蓋部材に案内されながら収容室へ入れられる。また、この蓋部材は弾性変形が容易である。このため、釣人は、蓋部材に手を入れて蓋部材を弾性変形させることによって容易に上記収容室内に手を入れることができる。したがって、収容室内の鮎を簡単に取り出すことができる。
【００１３】
上記蓋部材には、上記開口から上記収容室へ向かう方向に延びるスリットが複数設けられているのが好ましい。これにより、蓋部材は、容易に径方向に拡がることができる。したがって、釣人は、鮎を一層簡単に収容室に入れることができるし、収容室内へ一層簡単に手を入れることができる。
【発明の効果】
【００１４】
本発明によれば、鮎を出し入れするための扉が簡単且つスムーズに開閉されるので、釣人は、片手で鮎を持ったまま簡単に当該鮎を収納することができる。また、片手で簡単に扉を開放することができるので、鮎の取り出しがきわめて容易である。
【発明を実施するための最良の形態】
【００１５】
以下、適宜図面が参照されつつ、好ましい実施形態に基づいて本発明が詳細に説明される。
【００１６】
＜第１の実施携帯＞
図１は、本発明の第１の実施形態に係る鮎釣用曳舟の斜視図である。この鮎釣用曳舟１０は、鮎釣りの際にオトリ用の鮎や釣れた鮎を保管するためのものであって、曳舟本体１１とロープ１２とを備えている。
【００１７】
曳舟本体１１は、例えばポリプロピレン等から構成され、その外形形状は、船形に形成されている。曳舟本体１１は、容器状に形成されており、内部に収容室が区画されている。上記鮎は、この収容室に入れられるようになっている。また、曳舟本体１１には、所定箇所に通水部１７が設けられている。この通水部１７は、例えばメッシュ構造を備えており、上記収容部の内外を連通している。したがって、鮎釣用曳舟１０が水中に配置されたときは、上記収容室には常に新鮮な水が供給されるようになっている。また、曳舟本体１１は、先端部にロープ連結部１３を備えており、この部分に上記ロープ１２が挿通されている。このロープ１２は既知の構成であって、フック１４〜１６を備えている。これらフック１４〜１６は、釣人の身体や釣り場の固定物に係止される。
【００１８】
曳舟本体１１は、上部開閉部材１８を備えている。この上部開閉部材１８は、曳舟本体１の上面１９を開閉するものであって、曳舟本体１１に回動自在に取り付けられている。図２は、この開閉部材１８が開放された状態を示す要部拡大斜視図である。
【００１９】
開閉部材１８は、例えばアクリロニトリルブタジエンスチレン共重合体（ＡＢＳ樹脂）等から構成されており、板状に形成されている。開閉部材１８の基端部２０は、ヒンジ２１を介して曳舟本体１１に取り付けられている。曳舟本体１１の上面１９には、開閉部材１８が設けられた位置に切欠部２２が設けられている。この切欠部２２は、上記収容室と連通している。この開閉部材１８が開放されることによって、上記切欠部２２が露出する。また、開閉部材１８の先端部にはロック機構２３が設けられている。このロック機構２３も既知の構成であり、係止爪２４を備えている。開閉部材１８が閉じられたときは、この係止爪２４が上記切欠部２２の周縁部に引っ掛かり、開閉部材１８が閉じた状態に保持される。なお、ロック機構２３は、上記係止爪２４を操作するハンドル２５を備えており、釣人は、このハンドル２５を操作することによって、上記係止爪２４と上記切欠部２２の周縁部との係合を解除する。これにより、開閉部材１８は、閉じた状態から開放される。
【００２０】
図１が示すように、上記開閉部材１８の中央部には開口２６が設けられている。また、この開口２６を塞ぐように、開閉部材１８に扉２７が設けられている。すなわち、この扉２７は、曳舟本体１１の上面１９に設けられた開口２６を開閉するためのものであって、３枚の開閉板２８〜３０を有している。なお、本実施形態では、上記開閉部材１８が設けられ、この開閉部材１８に扉２７が設けられているが、上記開閉部材１８が省略され、曳舟本体１１に直接に扉２７が設けられていてもよいことは勿論である。
【００２１】
図２が示すように、各開閉板２８〜３０は略扇形に形成されており、例えばポリプロピレン等から構成されている。各開閉板２８〜３０は、上記開口２６（図１参照）の略中心を中心として放射状に配置されており、これにより、上記開口２６を閉塞している。各開閉板２８〜３０は、それぞれ、ヒンジ機構３１〜３３を介して上記開閉部材１８に連結されている。
【００２２】
ヒンジ機構３１は、連結ピン３４と、ねじりコイルバネ３５とを備えている。連結ピン３４は、上記開口２６の周縁部及び開閉板２８の基端部を貫通し、上記開閉部材１８に対して開閉板２８を当該連結ピン３４を回動中心として回動自在に支持している。ねじりコイルバネ３５は、上記開口２６の周縁部と開閉板２８との間に配置され、当該開閉板２８を所定方向に弾性的に回動付勢する。具体的には、開閉板２８は、連結ピン３４を中心として回動自在であるから、図１が示すように開口２６を閉じる姿勢と、当該開口２６の内奥部側、すなわち上記収容室側へ回動して当該開口２６を開放する姿勢との間で姿勢変化自在となっている。ただし、上記ねじりコイルバネ３５が設けられていることにより、開閉板２８は上記開閉部材１８に押圧されるように弾性付勢され、したがって、開閉板２８は、常時上記開口２６を閉じる姿勢となっている。
【００２３】
ヒンジ機構３２も上記ヒンジ機構３１と同様の構成であり、連結ピンとねじりコイルバネ３６とを備えている。したがって、上記開閉板２９も上記開閉板２８と同様に、開口２６を閉じる姿勢と、当該開口２６の内奥部側、すなわち上記収容室側へ回動して当該開口２６を開放する姿勢との間で姿勢変化自在となっている。ただし、上記ねじりコイルバネ３６が設けられていることにより、開閉板２９は上記開閉部材１８に押圧されるように弾性付勢され、したがって、開閉板２９は、常時上記開口２６を閉じる姿勢となっている。
【００２４】
さらに、ヒンジ機構３３も上記ヒンジ機構３１と同様の構成であり、連結ピンとねじりコイルバネ３７とを備えている。したがって、上記開閉板３０も上記開閉板２８と同様に、開口２６を閉じる姿勢と、当該開口２６の内奥部側、すなわち上記収容室側へ回動して当該開口２６を開放する姿勢との間で姿勢変化自在となっている。ただし、上記ねじりコイルバネ３７が設けられていることにより、開閉板３０は上記開閉部材１８に押圧されるように弾性付勢され、したがって、開閉板３０は、常時上記開口２６を閉じる姿勢となっている。
【００２５】
図１が示すように、各開閉板２８〜３０の先端部には、窪み３８〜４０が設けられている。これにより、各開閉板２８〜３０から構成される上記扉２７の中央部には、凹部４１が形成されていることになる。この凹部４１の作用効果については後述されるが、この凹部４１は、省略されていてもよい。
【００２６】
本実施形態に係る鮎釣用曳舟１０では、鮎は、上記開口２６を通して上記収容室に収容され、また、釣人によって上記収容室から取り出される。上記開口２６は、扉に２７よって常時閉鎖されているので、上記収容室内に収容された鮎は、当該収容室内に確実に保管される。この扉２７は、開閉板２８〜３０により構成されるから、釣人が扉２７を手で押さえるだけで各開閉板２８〜３０が回動し、上記開口２６が開放される。しかも、この扉２７は３枚の開閉板２８〜３０からなるので、扉２７の開放作業はきわめて簡単且つスムーズに行われる。したがって、釣人は、片手で鮎を持ったまま簡単に当該鮎を収納することができる。また、釣人は、片手で簡単に扉２７を開放することができるので、鮎の取り出しがきわめて容易である。
【００２７】
特に、本実施形態では、上記扉２７の中央部に凹部４１が設けられているから、釣人は、扉２７を開ける際に、この凹部４１を手で押さえることによって、より簡単に扉２７を開放することができるという利点がある。なお、本実施形態では、上記扉２７は、３枚の開閉板２８〜３０により構成されているが、扉２７を構成する開閉板の枚数には何ら制限が課せられることはない。むしろ、扉２７が多数の開閉板により構成されていれば、扉２７の開放作業は一層簡単でスムーズなものとなる。ただし、開閉弁の枚数が多くなるほど鮎釣用曳舟１０の製造コストが上昇するため、扉２７は、３枚〜５枚の開閉板から構成されるのが好ましい。
【００２８】
＜第２の実施形態＞
図３は、本発明の第２の実施形態に係る鮎釣用曳舟の斜視図である。この鮎釣用曳舟５０が上記第１の実施形態に係る鮎釣用曳舟１０と異なるところは、上記鮎釣用曳舟１０では、曳舟本体１１に設けられた開口２６を開閉するために扉２７が設けられていたのに対し、本実施形態に係る鮎釣用曳舟５０は、曳舟本体１１に設けられた開口２６に、弾性体からなる蓋部材５１が設けられている点である。なお、その他の構成については上記鮎釣用曳舟１０と同様である。
【００２９】
図４は、蓋部材５１の斜視図である。この蓋部材５１は、例えばゴムより構成され、同図が示すように漏斗状に形成されている。ただし、蓋部材５１を構成する材料はゴムに限定されるものではなく、弾性に富む材料であれば樹脂等も採用され得る。蓋部材５１の上面５２の形状は、曳舟本体１１に設けられた開口２６の形状に対応されている。この蓋部材５１は、開閉部材１８の裏側に固定されており、上記開口２６を閉塞している。蓋部材５１は、例えば接着剤等により固定される。蓋部材５１が漏斗状に形成されていることから、蓋部材５１は、常時は、開口２６から曳舟本体１１の収容室側に向かって突出するように配置されることになる。また、本実施形態では、この蓋部材５１には、スリット５２が複数設けられている。これにより、蓋部材５１は、径方向に容易に拡がることができるようになっている。
【００３０】
本実施形態に係る鮎釣用曳舟５０では、上記開口２６が蓋部材５１によって常時閉鎖されているので、上記収容室内に収容された鮎は、当該収容室内に確実に保管される。しかも、蓋部材５１が漏斗状に形成されていることから、釣人は、鮎を蓋部材５１の中央部に投入するだけで、当該鮎は当該蓋部材５１に案内されながら収容室へ入れられる。また、この蓋部材５１は弾性変形が容易であることから、釣人は、蓋部材５１に手を入れて蓋部材５１を弾性変形させることによって簡単に上記収容室内に手を入れることができる。したがって、釣人は、収容室内の鮎を簡単に取り出すことができる。
【００３１】
さらに、蓋部材５１にスリット５２が設けられているので、蓋部材５１は、容易に径方向に拡がることができる。したがって、釣人は、鮎を一層簡単に上記収容室に入れることができるし、収容室内へ一層簡単に手を入れて鮎を取り出すことができる。
【産業上の利用可能性】
【００３２】
本発明は、鮎釣りの際に使用される鮎釣用曳舟に適用され得る。
【図面の簡単な説明】
【００３３】
【図１】図１は、本発明の第１の実施形態に係る鮎釣用曳舟の斜視図である。
【図２】図２は、本発明の第１の実施形態に係る鮎釣用曳舟の要部拡大斜視図である。
【図３】図３は、本発明の第２の実施形態に係る鮎釣用曳舟の斜視図である。
【図４】図４は、本発明の第２の実施形態に係る鮎釣用曳舟の蓋部材の斜視図である。
【図５】図５は、従来の一般的な曳舟の斜視図である。
【符号の説明】
【００３４】
１０・・・鮎釣用曳舟
１１・・・曳舟本体
１８・・・開閉部材
１９・・・上面
２０・・・基端部
２１・・・ヒンジ
２２・・・切欠部
２３・・・ロック部材
２４・・・係止爪
２５・・・ハンドル
２６・・・開口
２７・・・扉
２８〜３０・・・開閉板
３１〜３３・・・ヒンジ機構
３４・・・連結ピン
３５〜３７・・・ねじりコイルバネ
３８〜４０・・・窪み
４１・・・凹部
５０・・・鮎釣用曳舟
５１・・・蓋部材
５２・・・スリット
【図１】
2005295936.tif 000003
【図２】
2005295936.tif 000004
【図３】
2005295936.tif 000005
【図４】
2005295936.tif 000006
【図５】
2005295936.tif 000007